(57)【要約】【課題】面ファスナー組立品および面ファスナー組立品を有するクッションを提供する。【解決手段】面ファスナー組立品は、第１テープ体と、第２テープ体と、第３テープ体と、吸着層とを主に含む。第１テープ体は、第１表面および第２表面を有し、第１表面には複数のフック体が突出する。第２テープ体の幅は、第１テープ体よりも広く、第３表面および第４表面を有し、第３表面は第１テープ体の第２表面に粘着し、かつ第１テープ体の縦方向外側に突出し、１対の翼部を形成する。第３テープ体の幅は、第２テープ体よりも狭く、第５表面および第６表面を有し、第５表面は第２テープ体の第４表面の中央部に粘着する。吸着層は、前記第２テープ体翼部の第３表面および第４表面の両者のうちいずれかに設け、磁性物質を含む。【選択図】図１Ａ
2010137037.tif 000002
【特許請求の範囲】
【請求項１】
複数のフック体が突出した第１表面と、第２表面とを有する第１テープ体を含む面ファスナー組立品において、
幅が第１テープ体よりも広く、第３表面および第４表面を有し、該第３表面は該第１テープ体の第２表面に粘着し、該第２テープ体に、該第１テープ体の縦方向の外側に１対の翼部を形成させる第２テープ体と、
幅が第２テープ体よりも狭く、第５表面および第６表面を有し、該第５表面は該第２テープ体の第４表面の中央部に粘着する第３テープ体と、
磁性物質を含み、該第２テープ体の翼部の第３表面および第４表面の両者のうちのいずれかに設ける吸着層と、
をさらに含むことを特徴とする面ファスナー組立品。
【請求項２】
金型で一体成形された、発泡材料座体と、少なくとも１つの面ファスナー組立品とを含む面ファスナー組立品を有するクッションにおいて、
該面ファスナー組立品は、
複数のフック体が突出した第１表面と、第２表面とを有する第１テープ体と、
幅が第１テープ体よりも広く、第３表面および第４表面を有し、該第３表面は該第１テープ体の第２表面に粘着し、該第２テープ体に、該第１テープ体の縦方向の外側に１対の翼部を形成させるし、かつ該発泡材料座体と相互に嵌め合わせる第２テープ体と、
幅が第２テープ体よりも狭く、第５表面および第６表面を有し、該第５表面は該第２テープ体の第４表面の中央部に粘着する第３テープ体と、
磁性物質を含み、該第２テープ体の翼部の第３表面および第４表面の両者のうちのいずれかに設ける吸着層と、
を含むことを特徴とする面ファスナー組立品を有するクッション。
【発明の詳細な説明】
【技術分野】
【０００１】
本発明は、面ファスナー組立品、特に発泡物と共に金型で成型する面ファスナー組立品に関する。
【背景技術】
【０００２】
公知技術の面ファスナーは、スイスの技師、ジョルジュ・デ・メストラルが草の実の刺から発想を得て発明したものである。フック面上に設けた複数の細かいフック体（hook）と、複数のさらに細かい環状貼り合わせ構造が設けられたもう１つのループ面（loop）とを利用して、相互に貼り合わせる。前記フック面をループ面に押し付けると、フック面上のフック体がループ面上の環状貼り合わせ構造に引っかかり、両者を貼り合わせることができる。
【０００３】
面ファスナーは、貼り合わせやすく、剥がしやすいという特性を有し、近年、他の物と組み合わせて使用されることもよくある。面ファスナーを背もたれまたは緩衝クッションなどの発泡物において使用するときに、面ファスナーのフック体を外向きにし、面ファスナーを背もたれと結合すると、対応するループ面を含む他の物に貼り合わせるのに便利である。面ファスナーを背もたれと結合する製造方法は、通常、面ファスナーを金型の中の所定の位置に置いてから、発泡材料を注入し、発泡材料の硬化が完了した後に、面ファスナーと発泡材料とを共同の金型で成型するというものである。
【０００４】
しかし、発泡材料の膨張プロセスにおいて、膨張のために発泡材料に各方向への推力が生成する。面ファスナーを金型の中の所定の位置に安定して設置することができない場合、発泡プロセスにおいて生成する推力が、往々にして面ファスナーを本来の所定の位置から押し、金型で成型された発泡物の面ファスナーの位置がずれ、不良品となる。公知の解決方法は、金型において事前に磁石を設け、１層の磁性物質を面ファスナーの基底（base）に設けることにより、磁力を利用して面ファスナーを金型内に吸着するものである（特許文献１参照）。しかし、面ファスナーの基底に磁性物質を設けるだけでは、磁性が不足し、面ファスナーが本来の指定位置からずれやすいという問題がある。
【先行技術文献】
【特許文献】
【０００５】
【特許文献１】米国特許６，３４８，２５２号
【発明の開示】
【発明が解決しようとする課題】
【０００６】
前記欠点を克服するため、本発明は、第１テープ体と、第２テープ体と、第３テープ体と、吸着層とを主に含む面ファスナー組立品を提供する。第１テープ体は、第１表面および第２表面を有し、第１表面には複数のフック体が突出する。第２テープ体の幅は、第１テープ体よりも広く、第３表面および第４表面を有し、第３表面は第１テープ体の第２表面に粘着し、かつ第１テープ体の縦方向外側に突出し、１対の翼部を形成する。第３テープ体の幅は、第２テープ体よりも狭く、第５表面および第６表面を有し、第５表面は第２テープ体の第４表面の中央部に粘着する。吸着層は、前記第２テープ体翼部の第３表面および第４表面の両者のうち、少なくともいずれかに設け、磁性物質を含み、金型の磁石と相互に吸着することができる。
【課題を解決するための手段】
【０００７】
本発明の主な目的は、磁性物質を有するため、発泡金型成型工程において、磁力を利用して簡単に固定することができ、発泡金型成型の完了後に、面ファスナー組立品を金型から取り出しやすい面ファスナー組立品を提供することである。
【０００８】
本発明のもう１つの目的は、面ファスナー組立品の２つの翼部に設けた磁性物質を有するため、発泡金型成型工程において、面ファスナー組立品を金型の指定位置に緊密に固定可能な面ファスナー組立品を提供することである。
【０００９】
本発明のさらにもう１つの目的は、面ファスナー組立品の２つの翼部に設けた磁性物質を有するため、発泡プロセスにおいて、面ファスナー組立品のフック体が２つの翼部に保護され、発泡材料が浸入してフック体を破壊することを防止する面ファスナー組立品を提供することである。
【００１０】
また、本発明では、金型で一体成形された発泡材料座体および少なくとも１つの面ファスナー組立品を含む面ファスナー組立品を有するクッションを提供する。面ファスナー組立品は、第１テープ体と、第２テープ体と、第３テープ体と、吸着層とを主に含む。第１テープ体は、第１表面および第２表面を有し、第１表面には複数のフック体が突出する。第２テープ体の幅は、第１テープ体よりも広く、第３表面および第４表面を有し、第３表面は第１テープ体の第２表面に粘着し、かつ第１テープ体の縦方向外側に突出し、１対の翼部を形成する。第３テープ体の幅は、第２テープ体よりも狭く、第５表面および第６表面を有し、第５表面は第２テープ体の第４表面の中央部に粘着する。吸着層は、前記第２テープ体翼部の第３表面および第４表面の両者のうち、少なくともいずれかに設け、磁性物質を含み、金型の磁石と相互に吸着することができる。
【００１１】
本発明のさらにもう１つの目的は、面ファスナー組立品が磁性物質を有し、発泡金型成型工程において、磁力を利用して簡単に固定することができ、発泡金型成型の完了後に、面ファスナー組立品を金型から取り出しやすい面ファスナー組立品を有するクッションを提供することである。
【００１２】
本発明のさらにもう１つの目的は、面ファスナー組立品の２つの翼部が磁性物質を有し、発泡金型成型工程において、面ファスナー組立品が、発泡材によって押されることによって位置が簡単に変わらず、クッション上の指定位置に設置可能な面ファスナー組立品を有するクッションを提供することである。
【００１３】
本発明のさらにもう１つの目的は、面ファスナー組立品は、面ファスナー組立品の２つの翼部に設けた磁性物質を有するため、発泡プロセスにおいて、面ファスナー組立品のフック体が２つの翼部に保護され、発泡材料が浸入してフック体を破壊することを防止する面ファスナー組立品を有するクッションを提供することである。
【図面の簡単な説明】
【００１４】
【図１Ａ】本発明の第１実施例の概要図である。
【図１Ｂ】本発明の第１実施例のもう１つの概要図である。
【図１Ｃ】本発明の第１実施例のもう１つの概要図である。
【図１Ｄ】本発明の第１実施例のもう１つの概要図である。
【図１Ｅ】本発明の第１実施例のもう１つの概要図である。
【図１Ｆ】本発明の第１実施例の発泡金型における設置概要図である。
【図２】（ａ）は本発明の第２実施例の概要図であり、（ｂ）は局所拡大概要図である。
【発明を実施するための形態】
【００１５】
本発明は、面ファスナー組立品およびクッションを開示する。利用する物理原理および関連素子の基本的な接続関係は、関連技術分野の通常の知識を有する者はすでに理解することができるため、以下の文中での説明では、完全な描写を行なわない。また、以下の文中で対照する図面は、本発明の特徴に関する概要を表すためのものであり、実際の状況に基づき完全に作成する必要はない。
【００１６】
図１Ａは、本発明の第１実施例の面ファスナー組立品の概要図である。面ファスナー組立品１は、第１テープ体１１と、第２テープ体１２と、第３テープ体１３と、吸着層１４とを主に含む。第１テープ体１１は、第１表面１１１および第２表面１１２を有し、第１表面１１１には複数のフック体１１３が突出する。第２テープ体１２の幅Ｌ２は、第１テープ体１１の幅Ｌ１よりも広く、第３表面１２１および第４表面１２２を有し、第３表面１２１は第１テープ体１１の第２表面１１２に粘着し、かつ第１テープ体１１の縦方向外側に突出し、１対の翼部１２３を形成する。第２テープ体１２の材料は、不織布、繊維布、プラスチックフィルムなど、ぴんと張った材料が好ましい。
【００１７】
第３テープ体１３は、第５表面１３１および第６表面１３２を有し、第２テープ体１２の２つの向かい合う面に第１テープ体１１とそれぞれ設置し、すなわち第３テープ体１３の第５表面１３１を第２テープ体１２の第４表面１２２の中央部に粘着する。第３テープ体１３の幅Ｌ３は、第２テープ体１２の幅Ｌ２よりも狭く、第１テープ体１１の幅Ｌ１とほぼ同じである。前記第３テープ体１３は、後続の発泡金型成型の発泡材料と相互に嵌め合わせるために用いられ、面ファスナー組立品１の全体的な強度を支持し、補強することができ、工程において操作に起因するテープ体の折れ曲がりまたは変形を起こさない。そのため、第３テープ体１３は、不織布、繊維布、プラスチックフィルムなど、ぴんと張った材料が好ましい。かつ、第３テープ体１３の材質は、良好な支持効果を達成するため、第２テープ体１２よりも硬い。
【００１８】
次に、図１Ａ、図１Ｂおよび図１Ｃを参照する。磁性物質１５の吸着層１４は、第２テープ体１２翼部１２３の第３表面１２１または第４表面１２２に設ける（図１Ａおよび図１Ｂ参照）。翼部１２３の第３表面１２１および第４表面１２２の両方に、吸着層１４を設けることもできる（図１Ｃ参照）。吸着層１４の材質は、固体から液体に変化可能ないかなる材料でよく、ポリウレタン（polyurethane, PU）が好ましい。印刷方式で吸着層１４を第２テープ体１２の第３表面１２１および第４表面１２２のいずれかに印刷する。当然、必要に応じて、第３表面１２１および第４表面１２２の両者に吸着層１４を印刷することもできる。
【００１９】
磁性物質１５と吸着層１４の結合方式については、磁性物質１５を吸着層１４に混入し、磁性物質１５を吸着層１４中に均一に分布させることができる（図１Ａ参照）。または、図１Ｄに示すように、塗布技術を利用し、磁性物質１５を吸着層１４の表面にほぼ均一に塗布する。この表面は、吸着層１４と第２テープ体１２とを相互に貼り合わせた表面とすることも、吸着層を外に曝した表面とすることもできる。磁性物質１５は、鉄粉とすることが好ましく、または鉄系合金とすることもでき、磁石によって吸着可能であることが重点である。
【００２０】
図１Ｅに示すように、第２テープ体１２の翼部１２３が磁性物質を含むことが可能であるだけでなく、面ファスナー組立品１の磁性を強化するため、第１テープ体１１の第１表面１１１に磁性物質１５を含め、固定の効果を増加することができる。
【００２１】
図１Ｆは、面ファスナー組立品１の１対の翼部１２３の機能をはっきりと示している。金型３の面ファスナー組立品指定位置３１に磁石３２が設けてあるため、面ファスナー組立品１を金型３に設置するときに、翼部１２３の磁性物質が金型３の磁石３２と相互に吸着し、面ファスナー組立品１を金型３の面ファスナー組立品指定位置３１上に吸着することができる。これによって、フック体１１３が金型３と第２テープ体１２の間で囲まれ、発泡プロセスにおいて、面ファスナー組立品のフック体が２つの翼部１２３に保護され、発泡材料が浸入してフック体を破壊することを防止する。また、磁石３２の数量、形状、位置などを限定する必要はなく、２つの翼部１２３をしっかりと吸着することができればよい。
【００２２】
本発明は、前記第１実施例の面ファスナー組立品を提供するだけでなく、第２実施例に記載の面ファスナー組立品を有するクッションを提供する。
【００２３】
図２（ａ）は、本発明の第２実施例で提供する面ファスナー組立品を有するクッションの概要図である。クッション２は、発泡材料座体２０と、少なくとも１つの面ファスナー組立品１とを含む。発泡材料座体２０および面ファスナー組立品１の両者は、金型で製造され一体成形されている。図２（ｂ）は、図２（ａ）の面ファスナー組立品の拡大概要図である。面ファスナー組立品１は、第１実施例における面ファスナー組立品１に記載したように、第１テープ体１１と、第２テープ体１２と、第３テープ体１３と、吸着層１４とを主に含む。かつ、前記各素子の組成の特徴および相互の接続関係は、第１実施例における記載とほぼ同じであるため、ここでは繰り返し述べない。また、面ファスナー組立品１の第３テープ体１３、第２テープ体の翼部１２３および吸着層１４は、発泡材料座体２０に嵌め合わせる。これによって、クッション２を、面ファスナー組立品１と、対応する貼り合わせ構造を有する物（背もたれカバーまたは背もたれ本体など）とによって、相互に貼り合わせて固定することができる。
【００２４】
また、好ましい実施形態において、発泡材料座体２０は、さらに少なくとも１つの凹溝２０１を有し、面ファスナー組立品１をその中に収容し、クッション２と貼り合わせ構造に対応するその他の物との組み合わせを増進する。
【００２５】
以上の内容は、本発明を各実施例およびその関連図面によりはっきりと記載したものであり、当業者がこれにより実施できるものである。しかし、本発明の各実施例は、ここにおいて、例示的なものでしかなく、制限的なものではない。すなわち、本発明の実質的な主旨および範囲を逸脱しない前記各実施例の変化例および修正例は、いずれも本発明に含まれる。そのため、本発明は、特許請求の範囲によって定める。
【符号の説明】
【００２６】
１      面ファスナー組立品
２      クッション
２０    発泡材料座体
２０１  凹溝
１１    第１テープ体
Ｌ１    第１テープ体の幅
１２    第２テープ体
Ｌ２    第２テープ体の幅
１３    第３テープ体
Ｌ３    第３テープ体の幅
１４    吸着層
１５    磁性物質
１１１  第１表面
１１２  第２表面
１１３  フック体
１２１  第３表面
１２２  第４表面
１２３  翼部
１３１  第５表面
１３２  第６表面
３      金型
３１    面ファスナー組立品指定位置
３２    磁石
【図１Ａ】
2010137037.tif 000003
【図１Ｂ】
2010137037.tif 000004
【図１Ｃ】
2010137037.tif 000005
【図１Ｄ】
2010137037.tif 000006
【図１Ｅ】
2010137037.tif 000007
【図１Ｆ】
2010137037.tif 000008
【図２】
2010137037.tif 000009